(57)【特許請求の範囲】
【請求項１】
球タンクのパチンコ球をパチンコ球払出装置に流送するタンクレールの上方に横軸を設けると共に、該横軸に球ならしの上端を揺動自在に軸支してなるパチンコ機において、
前記横軸に挿通する球ならしの軸通孔の直径を該横軸の直径より大きく形成すると共に、該球ならしの下端にローラーを回転自在に取付けてなることを特徴とするパチンコ機のタンクレールに付設する球ならし。
【発明の詳細な説明】
【０００１】
【産業上の利用分野】
本発明は、パチンコ機のタンクレールに付設する球ならしの構造に関するものである。
【０００２】
【従来の技術】
従来のパチンコ機においては、遊技盤の裏面上部に球タンクを配設し、該球タンクのパチンコ球をタンクレールによりパチンコ球払出装置に流送するようにしている。そして、図７に示すようにタンクレール１００の上方に横軸１０１を設け、該横軸１０１に球ならし１０２を揺動自在に軸支している。この球ならし１０２は周知のようにタンクレール１００のパチンコ球が重なって流下するようなことがあるとその重なったパチンコ球を側面で受け止めて一列に整列させる作用を果たすものであり、このため球ならし１０２には重なったパチンコ球の球圧にある程度打勝つように重錘１０３が設けられている。
【０００３】
【発明が解決しようとする課題】
ところで、従来の球ならし１０２は単に該球ならし１０２の上端の軸通孔１０４を横軸１０１に挿通して揺動自在に軸支されているに過ぎないため、重なつたパチンコ球が多いとその球圧により球ならし１０２が押されて揺動し、図８に示すように一段目と２段目のパチンコ球および球ならし１０２の重錘１０３による復帰作用力とが微妙にバランスして球詰りが起こり、パチンコ球払出装置にパチンコ球が供給されなくなるという問題点があった。
【０００４】
本発明は、従来技術の有するこのような問題点にかんがみてなされたものであり、その目的とするところは、タンクレールにパチンコ球が重なって流下しても該タンクレール内において球詰りを起こさせることのないようなパチンコ機のタンクレールに付設する球ならしを提供しようとするものである。
【０００５】
【課題を解決するための手段】
上記目的を達成するために、本発明は、球タンクのパチンコ球をパチンコ球払出装置に流送するタンクレールの上方に横軸を設けると共に、該横軸に球ならしの上端を揺動自在に軸支してなるパチンコ機において、前記横軸に挿通する球ならしの軸通孔の直径を該横軸の直径より大きく形成すると共に、該球ならしの下端にローラーを回転自在に取付けるようにしたものである。
【０００６】
【作用】
上記のように構成された球ならしは、タンクレールを重なって流下するパチンコ球が該球ならしに接触すると、その球圧の状況変化に応じて球ならしが上下又は前後方向へランダムに遊動すると共に、ローラーが回転してパチンコ球に常に複雑な流動作用を付与することになる。このため、タンクレールを重なって流下するパチンコ球の球圧と球ならしの復帰作用力とがバランスして球詰りを起こすようなことが少なくなりパチンコ球の整流がスムーズに行われる。
【０００７】
【実施例】
以下、図面を参照して本発明の一実施例について説明する。図１は本発明が適用されるパチンコ機の裏面図であり、１はパチンコ機の前面枠、２は前面枠１の裏面に着脱自在に取付けられる遊技盤、３は遊技盤２の裏面に開閉自在に装着される合成樹脂製の機構板で、該機構板３の裏面上部には球タンク４が固着されている。また、球タンク４の下方には該球タンク４のパチンコ球を整列して導き出すタンクレール５が設けられており、該タンクレール５の下流端は屈曲レール６を介してパチンコ球払出装置７に接続されている。
【０００８】
前記タンクレール５は図２に示すように合成樹脂により機構板３に当接する後側壁８と底部９および前側壁１０とにより上面が開口した樋状に形成されると共に、底部９には長手方向に仕切壁１１を設けて２条の球通路１２，１２が形成されている。また、タンクレール５の下流側の上方に位置する機構板３の裏面には球通路１２，１２と直交状に横軸１３が一体に突出形成されている。この横軸１３は後述する球ならし１４，１４を揺動自在に軸支するものであって、その先端がタンクレール５の前側壁１０内面に当接するようにその突出長さが選ばれる。
【０００９】
しかして、前記球ならし１４，１４は図４に示すようにタンクレール５の各球通路１２，１２のそれぞれの通路巾とほぼ等しい厚さの立体形とした本体１５と該本体１５の後面開口を塞ぐ側板１６とに二分割して形成し、そのそれぞれを別体に形成する。本体１５は上端に前記横軸１３の直径より大きい直径とした軸通孔１５１を有する筒部１５２を設け、下端に支持片部１５３を設けて該支持片部１５３に内側に突出する軸ピン１５４を一体に設けている。また、筒部１５２の後端上縁に切欠部１５５を設け、上下ほぼ中間位置の中空部１５６内に中心にねじ孔１５７を刻設した突起１５８を設けている。
【００１０】
前記側板１６は上端に軸通孔１５１に一致する透孔１６１と切欠部１５５に係合する突起片１６２を設け、下端に軸ピン１５４の端部を支持する軸受孔１６３を設ける。また、内側のほぼ中間位置には位置決め用の突段部１６５とねじ挿通孔１６６を設ける。
【００１１】
上記した本体１５と側板１６とは、本体１５の軸ピン１５４にローラー１７の中心貫通孔１７１を挿通して該ローラー１７を回転自在に支持させる。そして、この状態で側板１６の突起片１６２と突段部１６５を本体１５の切欠部１５５と中空部１５６に嵌め合わせ、ねじ１８をねじ挿通孔１６６から突起１５８のねじ孔１５７に螺合して締着を施こすことにより一体構造をなす球ならし１４を組立てる。そして、各球ならし１４，１４の軸通孔１５１，１５１を前記タンクレール５の上方の横軸１３に挿通し、これによつて該球ならし１４，１４を揺動自在に取付ける。なお、球ならし１４，１４の各ローラー１７，１７の下端とタンクレール５の底部９上面との間の距離は図５に示すように各球通路１２，１２を一列で流下するパチンコ球が各ローラー１７，１７に接触しないように該パチンコ球の直径より若干大となるように選ばれる。また各ローラー１７，１７は球ならし１４，１４の重錘を兼ねるようにその重さが選ばれる。
【００１２】
以上のように構成された本発明によれば、多くのパチンコ球がタンクレール５の各球通路１２，１２を重なって流下し、その球圧により球ならし１４，１４を揺動させるようなことがあっても、該球ならし１４，１４が横軸１３と挿通孔１５１，１５１の間の隙間によりパチンコ球の球圧の状況変化に応じて図６（ａ），（ｂ）鎖線のように上下又は前後方向へランダムに遊動し、さらにローラー１７，１７が回転して常に重なり合ったパチンコ球に流動作用を付与することになる。このため、各球通路１２，１２を重なって流下するパチンコ球どうし又はこれらのパチンコ球と球ならし１４，１４の復帰作用力がバランスして球詰りを起こすようなことが少なくなり、各球通路１２，１２のパチンコ球を確実に整流して流下させることができる。
【００１３】
なお、本実施例では、タンクレール５の球通路１２を２列とし、その各球通路１２，１２にそれぞれ球ならし１４，１４を設けた場合について例示したが、例えば球ならしを２列の球通路１２，１２の通路巾と等しい厚さの立体形として１個としてもよい。また、球通路１２が３列の場合、球ならしをそれぞれの球通路に個々に設けたり、２列の球通路と１列の球通路用のものを組合せて使用するようにしてもよい。
【００１４】
【発明の効果】
以上説明したところから明らかなように、本発明に係るパチンコ機のタンクレールに付設する球ならしは、タンクレールの上方の横軸に挿通する球ならしの軸通孔の直径を該横軸の直径よりも大きく形成すると共に、その下端にローラーを回転自在に取付けるようにしたものであるから、タンクレールの球通路をパチンコ球が重なって流下してもその球圧状況に応じて球ならし部材が上下又は前後方向へランダムに遊動し、さらにローラーの回転によりパチンコ球に複雑な流動作用を付与することができる。このため、タンクレール内で球詰りを起こすようなことが少なくなり、パチンコ球の整流を確実かつスムーズに行わせることができる。
【図面の簡単な説明】
【図１】本発明が適用されるパチンコ機の裏面図である。
【図２】図１のパチンコ機の要部の分解斜視図である。
【図３】球ならしの取付状態を示す要部正面図である。
【図４】本発明に係る球ならしの分解斜視図である。
【図５】球ならしの取付状態を示す要部断面図である。
【図６】（ａ），（ｂ）は球ならしの作用説明図である。
【図７】従来技術の説明図である。
【図８】従来技術の球詰り状態の説明図である。
【符号の説明】
１              球タンク
５            タンクレール
７            パチンコ球払出装置
１３          横軸
１４，１４    球ならし
１５１        軸通孔
１７          ローラー
【図１】
0003569320.tif 000002
【図２】
0003569320.tif 000003
【図３】
0003569320.tif 000004
【図４】
0003569320.tif 000005
【図５】
0003569320.tif 000006
【図６】
0003569320.tif 000007
【図７】
0003569320.tif 000008
【図８】
0003569320.tif 000009